(57)【要約】【課題】  児童が成長して肩幅が広くなっても背負いベルトが、肩に対して斜めではなく、平面的に当たるようにしたランドセルの背環を提供する。【解決手段】  この背環（１）は、ケース（２）と、背負いベルト（Ｂ）と連結可能な一対の連結部（３）を有する。前記ケース（２）は、前記連結部（３）の基部（３２）と、この基部（３２）と回動自在に連結された左右一対のスライダー（５，６）を内蔵している。前記連結部（３）と前記スライダー（５，６）は前記ケース（２）内を左右方向にスライド可能である。さらに、前記連結部（３）は前記スライダー（５，６）に対して回動可能である。【選択図】  図５
2019034004.tif 000002
【特許請求の範囲】
【請求項１】
ケース（２）と、背負いベルト（Ｂ）と連結可能な一対の連結部（３）を有し、
前記ケース（２）は、前記連結部（３）の基部（３２）と、この基部（３２）と回動自在に連結された左右一対のスライダー（５，６）を内蔵するランドセルの背環（１）であって、
前記連結部（３）と前記スライダー（５，６）は前記ケース（２）内を左右方向にスライド可能であり、
前記連結部（３）は前記スライダー（５，６）に対して回動可能であることを特徴とする
ランドセルの背環（１）。
【請求項２】
前記スライダー（５，６）は回動軸（７１）を中心に回動する連結リンク（７）により相互に接続されており、左右一対の前記スライダー（５，６）のいずれか（５）が左右方向に移動するとそれに連動して他方の前記スライダー（６）も移動し、互いに引き寄せされたり、遠ざかったりする請求項１記載の背環（１）。
【請求項３】
前記スライダー（５，６）は前記ケース（２）内で、バネ（５５，６５）による付勢を受けており、前記左右スライダー（５，６）が開きすぎたときには狭まる方向に復元力が働く請求項１又は２記載の背環（１）。
【発明の詳細な説明】
【技術分野】
【０００１】
本発明は児童用ランドセルの背環に関する。
【背景技術】
【０００２】
ランドセルに取付けられている背負いベルトは、一端がランドセルの背板の上端中央に取付けた背環の連結アームに連結され、他端がランドセルの底面に一定間隔をあけて設けた背負ベルト取付金具に取付けられている。
【０００３】
ところで、児童は小学１年生から６年生までの６年間同じランドセルを使用し続けるのが通常であるが、その間に身体的成長が著しい。児童が高学年になり肩幅が広くなっても、背負ベルトの上端が一定の間隔に取付けられた連結アームに連結してあるままだと、ランドセルを背負ったり降ろしたりすることが窮屈となり面倒になるという問題があった。
【０００４】
この問題を解決するため、児童の成長に合わせて背負ベルトの長さを調節可能にしたり、背環に取付けた連結アームを揺動可能にしたり、左右方向に移動させるようにしたりする発明や考案が知られている（特開２００４―２３７０７２、実用新案登録第３０５５２０５号参照）。
【先行技術文献】
【特許文献】
【０００５】
【特許文献１】特開２００４―２３７０７２（特許第３５２４５４７号）
【特許文献２】登録実用新案第３０５５２０５号
【発明の概要】
【発明が解決しようとする課題】
【０００６】
上記従来技術はそれなりに有意義であるが、添付の図１３（ｂ）に示すように、児童の肩幅が広くなりにつれて、背負いベルトＢ１が児童の肩に斜めに当たるようになるという問題は十分に解決されていない。背負いベルトが、図１３（ａ）のように、肩に対して広く平面的に当たらず、図１３（ｂ）のように斜めに直線的に当たることにより、背負いベルトＢ１の縁が肩に食い込むようになり、特に薄着の時期などは痛みを感じさせるまでになる。
【０００７】
本発明は、図１３（ａ）のように、児童の肩幅が広くなっても背負いベルトＢが、肩に対して広く平面的に当たるようにしたランドセルの背環を提供することを目的とする。
【課題を解決するための手段】
【０００８】
上記目的を達成するため、本発明においては、従来の連結アームを連結部とスライダーに分割し、両者の間を回動可能なものとした。
【０００９】
すなわち、本発明は、ケース２と、背負いベルトＢと連結可能な一対の連結部３を有し、前記ケース２は、連結部３の基部３２と、この基部３２と回動自在に連結された左右一対のスライダー５，６を内蔵する背環１であって、前記連結部３と前記スライダー５，６は前記ケース２内を左右方向にスライド可能であると共に、前記連結部３は前記スライダー５，６に対して回動可能であることを特徴とする。
【００１０】
好ましくは、前記スライダー５，６は回動軸７１を中心に回動する連結リンク７により相互に接続されており、左右一対の前記スライダー５，６のいずれかが左右方向に移動するとそれに連動して他方の前記スライダーも移動し、互いに引き寄せされたり、遠ざかったりする。
【００１１】
さらに好ましくは、前記スライダー５，６はケース２内で、バネ５５，６５による付勢を受けており、左右スライダー５，６が開きすぎたときには狭まる方向に復元力が働くものである。
【発明の効果】
【００１２】
本発明によれば、前記スライダー５，６はケース２内を左右方向にスライド可能であり、それとともに前記連結部３は前記スライダー５，６に対して回動可能である。
【００１３】
左右スライダー５，６が相互に左右方向に伸縮するため、児童が大きくなって肩幅が広くなっても、左右連結部３の間が広がり、ランドセルを背負ったり降ろしたりすることが窮屈となり面倒になることはない。
【００１４】
さらに、連結部は回動軸３１を中心として、回動可能であるため、児童が大きくなって肩幅が広くなったときには、自動的に回動して、背負いベルトＢが、児童の肩に対して広く平面的に当たるようになる。
【００１５】
以下、添付の図面に基づき、本発明の実施例を説明する。
【図面の簡単な説明】
【００１６】
【図１】本実施例の背環を取り付けたランドセルの斜視図である。
【図２】（ａ）背環の一部をランドセル本体側から見た斜視図である。（ｂ）同外部側から見た斜視図である。
【図３】背環の大まかな分解斜視図である。
【図４】図３よりも詳細な分解斜視図である。
【図５】（ａ）〜（ｄ）は背環ケース内の部品の移動状態を示す正面図である。
【図６】ケース本体の（ａ）正面図、（ｂ）背面図、（ｃ）斜視図である。
【図７】ケース上蓋の（ａ）正面図、（ｂ）背面図、（ｃ）斜視図である。
【図８】連結部の（ａ）正面図、（ｂ）斜視図である。
【図９】左スライダーの（ａ）正面図、（ｂ）斜視図である。
【図１０】右スライダーの（ａ）正面図、（ｂ）斜視図である。
【図１１】吊り輪の（ａ）正面図、（ｂ）斜視図である。
【図１２】連結リンクの（ａ）正面図、（ｂ）斜視図である。
【図１３】児童がランドセルを背負っている状態の正面図であり、（ａ）は本発明、（ｂ）は従来例である。
【発明を実施するための形態】
【００１７】
図1、図２に示すように、背環１は、ランドセルＲ本体の背板の上部中央部に、左右一対の背負いベルトＢを取り付けるために設けられる。
【００１８】
本実施例の背環１は、ケース２と、このケース２内に基部が支持され、背負いベルトＢと連結可能な一対の連結部３と、これらの連結部３の間に位置する吊り輪４を有する。
【００１９】
図３、図４に示すように、ケース２は、本体２０と、上蓋２１と、間挿板２２を有し、これらがボルト２３、ナット２４、当て板２５、ワッシャーなどの固定具で組み立てられる。ケース２の中には、図５に示すような部品が取り付けられている。
【００２０】
ケース本体２０は図６に、ケース上蓋２１は図７に、それぞれ示すような外観のもので、合成樹脂又は金属により一体的に成形されている。
【００２１】
ケース本体２０の上部には左右一対の連結部３の基部３２（図８）が挿入される第１室２６、第２室２７が形成されている。第１室２６、第２室２７の間には吊り輪４が収容される第３室２８が形成されている。ケース本体２０の下部には左右一対のスライダー５，６が挿入される第４室２９が形成されている。
【００２２】
連結部３は、左右対称であり、図８（ａ）（ｂ）に示すように、上部が開放された箱状の本体３０と、本体下方に位置して、回動中心となる軸３１を有する基部３２からなる。連結部３は、この回動軸３１を中心として揺動可能である。本体３０の箱の中には背負いベルトＢの端部が挿入され、取付穴３３を使用して固定具でしっかりと固着される（図１参照）。
【００２３】
連結部３は回動するだけでなく、左右のスライダー５，６により左右方向へも移動可能である。スライダー５，６は、第４室２９に収容されており、左右同じ高さを有するが、対称ではない。
【００２４】
左側スライダー５は図９に示すように、ほぼＬ字状で、上方に連結部３の回動軸３１を支持する第１支持体５０を有する。第１支持体５０は軸受５５及び水平方向の延長部５１を有する。左側スライダー５の下方水平部５２には、バネ収容室５３と連結リンクスライド溝５４が設けられている。バネ収容室５３にはバネ５５（図５）が収容される。
【００２５】
右側スライダー６は図１０に示すように、ほぼＴ字状で、上方に連結部３の回動軸３１を支持する第２支持体６０を有する。第２支持体６０も軸受６５及び水平方向の延長部６１を有する。右側スライダー６の中央水平部６２には、バネ収容室６３と連結リンクスライド溝６４が設けられている。バネ収容室６３にはバネ６５（図５）が収容される。
【００２６】
第３室２８（図６）に収容される吊り輪４は、図１１に示すようなもので、下部が取付穴４１を使用してしっかりと固定され、上部に開口部４２が設けられている。ランドセルＲを使用しないとき、この開口部４２を利用して、壁や机のフック（図示せず）に吊るすことができる。
【００２７】
左右スライダー５，６は、第４室２９（図６）内において、図５に示すように取り付けられる。両者の間には、回動軸７１を中心に回動する連結リンク７が設けられている。連結リンク７は図１２に示すように、中心に回動軸７１を有する直線状の棒であり、左右末端に小突起７２，７３を有する。連結リンク７の小突起７２，７３と左右スライダーのスライド溝５４，６４は係合しているので、左右スライダー５，６同士も連結されるが、連結リンク７は回動するため、左右スライダー５，６は連動して互いに引き寄せされたり（図５（ａ））、遠ざかったり（図５（ｂ））する関係となる。
【００２８】
左右スライダー５，６のバネ収容室５３，６３にはバネ５５，６５が収容されているため、左右スライダー５，６が開きすぎたときには復元力が働く。
【００２９】
左右スライダー５，６は相互に左右方向に伸縮するため、児童が大きくなって肩幅が広くなっても、左右連結部３の間が広がり、ランドセルを背負ったり降ろしたりすることが窮屈となり面倒になることはない（図５（ａ）（ｂ））。
【００３０】
さらに、連結部は回動軸３１を中心として、左右スライダー５，６に対して回動可能であるため、児童が大きくなって肩幅が広くなったときには、自動的に回動して、図５（ｃ）の状態から図５（ｄ）の状態へ移動可能である。ケース２と連結部３の角度がθ１からθ２に狭まったことがわかる。これにより、図１３（ａ）に示すように、児童が高学年になっても背負いベルトＢが、肩に対して広く平面的に当たるようになるのである。
【符号の説明】
【００３１】
１     背環
２     ケース
２０   ケース本体
２１   ケース上蓋
２２   間挿板
２３   ボルト
２４   ナット
２５   当て板
２６   第1室
２７   第２室
２８   第３室
２９   第４室
３     連結部
３０   本体
３１   回動軸
３２   基部
３３   取付穴
４     吊り輪
４１   取付穴
４２   開口部
５     左側スライダー
５０   支持体
５１   延長部
５２   下方水平部
５３   バネ収容室
５４   連結リンクスライド溝
５５   バネ
６     右側スライダー
６０   支持体
６１   延長部
６２   中央水平部
６３   バネ収容室
６４   連結リンクスライド溝
６５   バネ
７     連結リンク
７１   回動軸
７２，７３    小突起
Ｂ     背負いベルト
Ｒ     ランドセル
【図１】
2019034004.tif 000003
【図２】
2019034004.tif 000004
【図３】
2019034004.tif 000005
【図４】
2019034004.tif 000006
【図５】
2019034004.tif 000007
【図６】
2019034004.tif 000008
【図７】
2019034004.tif 000009
【図８】
2019034004.tif 000010
【図９】
2019034004.tif 000011
【図１０】
2019034004.tif 000012
【図１１】
2019034004.tif 000013
【図１２】
2019034004.tif 000014
【図１３】
2019034004.tif 000015